(57)【要約】      （修正有）【課題】書類を層に分けて挟持でき、分類とクリップの浪費を節約できるペーパークリップを提供する。【解決手段】第１挟持部１０と第２挟持部２０で構成され、第２挟持部２０が第１挟持部１０に組み付けられて上下二層の挟持機能を具備し、書類を分類し挟持させることができ、書類に一部ごとに一つのクリップを使用する浪費を節約し、使用の便利性を具備する。【選択図】図２
0003100685.tif 000002
【実用新案登録請求の範囲】
【請求項１】
第１挟持部と第２挟持部で構成され、第２挟持部が第１挟持部に組み付けられ、
該第１挟持部はベース、第１挟持体、弾性手段及び二つの軸棒で構成され、
該ベースの両側に支持板が設けられ、該支持板に孔が設けられ、ベースの後段部分のベースの表面に凸柱が設けられ、
該第１挟持体の前端に挟持部が設けられ、ベースの支持板と対応する部分に孔が設けられ、該孔の対応する内部に内部に開放式収容空間が形成され、該開放式収容空間内部の底部に凸柱が設けられ、別に開放式収容空間の左上角両側に孔が設けられ、第１挟持体の後部に押圧面が形成され、並びに下表面に凸柱が設けられてベース後部に凸設された凸柱に対応し、
該弾性手段は縦向きに第１挟持体とベースの後部の対応する凸柱に嵌合され、
該二つの軸棒は、第１挟持体とベースの支持板の対応する孔を貫通し、
該第２挟持部は、第２挟持体、弾性手段、二つの軸棒で構成され、
該第２挟持体は前端に挟持部が形成され、第２挟持体の後部に両側板が形成され、両側板にあって第１挟持体の左上角の孔に対応する位置に孔が設けられ、両側板の間に押圧部が後ろ向きに延設され、該押圧部の下向きの表面に、第１挟持体の開放式収容空間内部底部に設置された凸柱に対応する凸柱が設置され、
該第２挟持部の弾性手段は、第２挟持体と第１挟持体の対応する凸柱に縦向きに嵌合され、
該第２挟持部の二つの軸棒は、第２挟持体と第１挟持体の対応する孔を貫通し、
以上の構造により上下二層の挟持の機能を具備し、書類を分類挟持できることを特徴とする、ペーパークリップ。
【請求項２】
請求項１記載のペーパークリップにおいて、第１挟持体とベース間に縦向きに設置された弾性手段の代わりに、弾性手段が第１挟持体とベースを結合させる軸棒に横向きに嵌合され、この時軸棒が単一携帯とされ、並びにベース両側の支持板の孔と第１挟持体の両側の孔を貫通し、弾性手段が第１挟持体の開放式収容空間内に置かれ、軸棒の貫通により位置決めされ、第２挟持体が設置される第１挟持体の開放式収容空間内部の弾性手段及び相互に対応する凸柱が前方に移動され、横向きに設置された弾性手段の一端が第１挟持体後部の下表面に当接し、別端がベース後部の上表面に当接し、Ｖ字形の張力設計を形成することを特徴とする、ペーパークリップ。
【請求項３】
請求項１又は請求項２記載のペーパークリップにおいて、第１挟持部及び第２挟持部の弾性手段がバネとされたことを特徴とする、ペーパークリップ。
【考案の詳細な説明】
【技術分野】
【０００１】
本考案は一種のペーパークリップに係り、特に、書類挟持機能を高めた構造とされ、伝統的なクリップが僅かに単一の書類しか挟持できなかった点を改善し、書類を層に分けて挟持でき、分類とクリップの浪費を節約するペーパークリップに関する。
【背景技術】
【０００２】
現在、オフィス等で資料管理或いは書類のファイリングには分類後の書類をペーパークリップで暫時挟持している。一般に市販されているペーパークリップは、単一の挟持機能しか具備せず、ゆえに書類を一部ごとに一つのペーパークリップで挟持しなければならず、会社は大量のペーパークリップを購入しなければならず、ペーパークリップの使用上の浪費を形成する。もし同一書類が過多である時は二つ以上のペーパークリップを用いて分けて挟持しなければならず、不便であり、挟持の機能を具備してはいても、実用性と経済性に符合せず、且つ現在、一般に物品に要求される多機能の特性を具備しない。ゆえに、上述の欠点を改善し、構造の使用上の便利性と多機能性を達成することが、関係業者の努力と発展の方向とされている。
【考案の開示】
【考案が解決しようとする課題】
【０００３】
本考案は一種のペーパークリップを提供することを課題とし、それは、書類の分類して挟持する機能を具備し、一部の書類の一つのペーパークリップを使用する浪費を改善し、使用上の便利性を高めたものとする。
【０００４】
本考案はまた一種のペーパークリップを提供することを課題とし、それは、構造が簡単で、組立に便利であり、使用上、使用者が簡単に使用できる設計とされ、且つ一つの物品で二つの機能を具えたものとする。
【課題を解決するための手段】
【０００５】
請求項１の考案は、第１挟持部と第２挟持部で構成され、第２挟持部が第１挟持部に組み付けられ、
該第１挟持部はベース、第１挟持体、弾性手段及び二つの軸棒で構成され、
該ベースの両側に支持板が設けられ、該支持板に孔が設けられ、ベースの後段部分のベースの表面に凸柱が設けられ、
該第１挟持体の前端に挟持部が設けられ、ベースの支持板と対応する部分に孔が設けられ、該孔の対応する内部に内部に開放式収容空間が形成され、該開放式収容空間内部の底部に凸柱が設けられ、別に開放式収容空間の左上角両側に孔が設けられ、第１挟持体の後部に押圧面が形成され、並びに下表面に凸柱が設けられてベース後部に凸設された凸柱に対応し、
該弾性手段は縦向きに第１挟持体とベースの後部の対応する凸柱に嵌合され、
該二つの軸棒は、第１挟持体とベースの支持板の対応する孔を貫通し、
該第２挟持部は、第２挟持体、弾性手段、二つの軸棒で構成され、
該第２挟持体は前端に挟持部が形成され、第２挟持体の後部に両側板が形成され、両側板にあって第１挟持体の左上角の孔に対応する位置に孔が設けられ、両側板の間に押圧部が後ろ向きに延設され、該押圧部の下向きの表面に、第１挟持体の開放式収容空間内部底部に設置された凸柱に対応する凸柱が設置され、
該第２挟持部の弾性手段は、第２挟持体と第１挟持体の対応する凸柱に縦向きに嵌合され、
該第２挟持部の二つの軸棒は、第２挟持体と第１挟持体の対応する孔を貫通し、
以上の構造により上下二層の挟持の機能を具備し、書類を分類挟持できることを特徴とする、ペーパークリップとしている。
請求項２の考案は、請求項１記載のペーパークリップにおいて、第１挟持体とベース間に縦向きに設置された弾性手段の代わりに、弾性手段が第１挟持体とベースを結合させる軸棒に横向きに嵌合され、この時軸棒が単一携帯とされ、並びにベース両側の支持板の孔と第１挟持体の両側の孔を貫通し、弾性手段が第１挟持体の開放式収容空間内に置かれ、軸棒の貫通により位置決めされ、第２挟持体が設置される第１挟持体の開放式収容空間内部の弾性手段及び相互に対応する凸柱が前方に移動され、横向きに設置された弾性手段の一端が第１挟持体後部の下表面に当接し、別端がベース後部の上表面に当接し、Ｖ字形の張力設計を形成することを特徴とする、ペーパークリップとしている。
請求項３の考案は、請求項１又は請求項２記載のペーパークリップにおいて、第１挟持部及び第２挟持部の弾性手段がバネとされたことを特徴とする、ペーパークリップとしている。
【考案の効果】
【０００６】
本考案のペーパークリップは、第１挟持部と第２挟持部で構成され、第２挟持部が第１挟持部に組み付けられて上下二層の挟持機能を具備し、且つ弾性手段と軸棒の設計により、楽に操作でき挟持圧迫する作用を提供できる。本考案の構造は簡単であり、予期された目的を達成し、且つ実用性と新規性を具備している。
【考案を実施するための最良の形態】
【０００７】
図１に示されるように、本考案のペーパークリップ１は、第１挟持部１０と第２挟持部２０を具え、第２挟持部２０が第１挟持部１０に組み付けられ、上下二層の挟持機能を具備し、使用者が書類を分類して挟持させることができ、一部の書類に一つのペーパークリップを使用する浪費を節約し、且つ使用の便利性を具えている。
【０００８】
図１、２、３に示されるように、本考案のペーパークリップ１の第１挟持部１０はベース１１、第１挟持体１２、弾性手段１３及び二つの軸棒１４で構成され、ベース１１の両側の後部近くに支持板１１１が設けられ、該支持板１１１に孔１１２が設けられ、ベース１１の後段部分のベース１１の表面に凸柱１１３が設けられ、別に、第１挟持体１２の前端に挟持部１２１が設けられ、ベース１１の支持板１１１と対応する部分に孔１２２が設けられ、内部に開放式収容空間１２３が形成され、該開放式収容空間１２３の外側左上角の対応する表面に孔１２４が設けられ、並びに開放式収容空間１２３内部の底部に凸柱１２５が設けられ、第１挟持体１２の後部に押圧面１２７が形成され、並びに押圧面１２７の下表面に凸柱１２６が凸設され、それはベース１１の後部に凸設された凸柱１１３に対応し、第１挟持体１２がベース１１の上部に置かれ、並びに第１挟持体１２の孔１２２がベース１１の支持板１１１の孔１１２に対応させられた後、軸棒１４で両側の孔１２２、１１２が結合され、第１挟持体１２の開放式収容空間１２３が軸棒の両側の貫通により開放式収容空間１２３内部空間の運用に影響が生じないものとされる。別に、第１挟持体１２の後部に凸設された凸柱と、ベース１１の後部に凸設された凸柱１１３の間に弾性手段１３が嵌合され、全体が第１挟持部１０を構成し、並びに第１挟持部１０が常態下で弾性手段１３の張力作用により挟持力を有する状態を呈する。
【０００９】
該第２挟持部２０は、第２挟持体２１、二つの軸棒２２及び弾性手段２３で構成されている。該第２挟持体２１の前端に挟持部２１１が形成され、第２挟持体２１の後部に両側板２１２が形成され、両側板２１２の第１挟持体１２の孔１２４に対応する位置に孔２１３が設けられ、両側板２１２の間に隆起する押圧部２１４が後ろ向きに延設され、該押圧部２１４の下向きの表面に、第１挟持体１２の開放式収容空間１２３内部底部に設置された凸柱１２５に対応する凸柱２１５が設置されている。第２挟持体２１の孔２１３が第１挟持体１２の孔１２４に対応するよう設置された後、二つの軸棒２２が両側より孔２１３、１２４を貫通し、並びに弾性手段２３が第２挟持体２１の押圧部２１４の下向き表面に凸設された凸柱２１５と第１挟持体１２の開放式収容空間１２３内部底部に設置された凸柱１２５の間に装着され、第２挟持部２０が構成されて第１挟持部１０の上方に設けられる。
【００１０】
該弾性手段１３、２３はバネとされ並びに伸縮応力の機能を具備する。
【００１１】
図４に示されるように、使用者が本考案のペーパークリップの第１挟持体１２の押圧面１２７を押圧した時、弾性手段１３が収縮し、第１挟持体１２がその軸棒１４に沿って回転し、第１挟持体１２の前端の挟持部１２１とベース１１の前端が開放角ａを形成し、また第１挟持体１２上方の第２挟持体２１前端の挟持部２２１が第１挟持体１２の上表面に貼り付き常態状を呈し、並びに第１挟持体１２の動作により、第１挟持部１０が物品挟持の機能を実行する。
【００１２】
図５に示されるように、使用者が第２挟持体２１の押圧部２１４を押圧する時、弾性手段２３の収縮により、第２挟持体２１がその軸棒２２に沿って回転し、第２挟持体２１の前端の挟持部２１１が第１挟持体１２の上表面前端と開放角ｂを形成し、さらに第２挟持体２１の下方の第１挟持体１２前端の挟持部１２１がベース１１の上表面前端に貼り付き常態状を呈し、第２挟持部２０の物品挟持の機能を実行する。
【００１３】
図２、６、７に示されるように、本考案のペーパークリップのうち、ベース１１と第１挟持体１２後部に設置された弾性手段１３は二つの凸柱１１３、１２６の間に縦向きに設置されて、同等の作用を具備し、該弾性手段１３はまた図６に示される構造とされ得て、並びに横向きに軸棒１４に設置可能で、このとき軸棒１４はベース１１の両側の支持板１１１の孔１１２と第１挟持体１２の両側の孔１２２を貫通し、並びに弾性手段１３が第１挟持体１２の開放式収容空間１２３内に置かれ、軸棒１４の貫通により位置決めされる。軸棒１４が第１挟持体１２の開放式収容空間１２３を貫通し並びに横向きに設置された弾性手段１３を貫通すると、第１挟持体１２の開放式収容空間１２３内部の構造位置に影響を与えるため、第２挟持体２１が設置される第１挟持体１２の開放式収容空間１２３内部の弾性手段２３及びその対応する凸柱２１５及び第１挟持体１２の開放式収容空間１２３内部底部の凸柱１２５は、前に移動されて、弾性手段２３及び横向き設置された弾性手段１３が相互干渉を発生せず、全体が正常動作するものとされる。横向きに設置された弾性手段１３の一端が第１挟持体１２後部の押圧面１２７の下表面に当接し、別端はベース１１後部の上表面に当接し、Ｖ字形の張力設計を形成し、並びに同等の機能を具備し、第１挟持部１０が物品を挟持する機能を具備する。
【００１４】
総合すると、本考案は確実に周知の技術の未完全部分を改善し、実用性と新規性を具え、多重の便利な機能を具備し、進歩性を具えている。なお、以上の実施例は本考案の実施範囲を限定するものではなく、本考案に基づきなしうる細部の修飾或いは改変は、いずれも本考案の請求範囲に属するものとする。
【図面の簡単な説明】
【００１５】
【図１】本考案の側面図である。
【図２】本考案の断面図である。
【図３】本考案の平面図である。
【図４】本考案の第１挟持部の動作表示図である。
【図５】本考案の第２挟持部の動作表示図である。
【図６】本考案の別の実施方式表示図である。
【図７】図６の実施方式の断面図である。
【符号の説明】
【００１６】
１  ペーパークリップ
１０  第１挟持部
１１  ベース
１１１  支持板
１１２  孔
１１３  凸柱
１２  第１挟持体
１２１  挟持部
１２２  孔
１２３  開放式収容空間
１２４  孔
１２５  凸柱
１２６  凸柱
１２７  押圧面
１３  弾性手段
１４  軸棒
２０  第２挟持部
２１  第２挟持体
２１１  挟持部
２１２  側板
２１４  押圧部
２１５  凸柱
２２  軸棒
２３  弾性手段
ａ  開放角
【図１】
0003100685.tif 000003
【図２】
0003100685.tif 000004
【図３】
0003100685.tif 000005
【図４】
0003100685.tif 000006
【図５】
0003100685.tif 000007
【図６】
0003100685.tif 000008
【図７】
0003100685.tif 000009